(57)【要約】      （修正有）【課題】  新規に登録されたカードを有する者の入退室を円滑にすると共に、アンチパスバックチェック機能を備えた入退室管理装置の提供。【解決手段】第１識別番号及び部屋２の退室の状態とは無関係に入室可能な第２識別番号とが記憶され、第１識別番号に対応して部屋２の入室又は退室の状態が記憶される入退室テーブル２２ａと、部屋２の入室側に設けられ、カード４に付された識別番号を読み取る第１カードリーダ３と、カードリーダ３から読込まれたカード４の識別番号が入退室テーブル２２ａに記憶された第１識別番号で、退室の状態が記憶されていると入室可能と判断する第１判断部２４と、第１カードリーダ３から読込まれたカード４の識別番号が入退室テーブル２２ａに記憶された第２識別番号と一致すると、入室可能と判断する第２判断部２４と、第１又は第２判断部２４の入室可能との判断に基づいて電気錠１１を解除する第１解除部２８とを備えた。【選択図】図２
2007132075.tif 000002
【特許請求の範囲】
【請求項１】
部屋の扉に設けられた電気錠と、
第１識別番号及び、前記部屋の退室の状態とは無関係に入室可能な第２識別番号とが記憶され、前記第１識別番号に対応して前記部屋の前記入室又は退室の状態が記憶される記憶手段と、
部屋の入室側及び退室側にそれぞれ設けられ、カードに付された識別番号を読み取る第１、第２カードリーダと、
前記第１カードリーダから読み込まれた前記カードの前記識別番号が前記記憶手段に記憶された第１識別番号で、前記退室の状態が記憶されていると入室可能と判断すると共に、前記第２カードリーダから読み込まれた前記カードの前記識別番号が前記記憶手段に記憶された第１識別番号で、前記入室の状態が記憶されていると退室可能と判断する第１判断手段と、
前記第１カードリーダから読み込まれた前記カードの前記識別番号が前記記憶手段に記憶された前記第２識別番号と一致すると、入室可能と判断すると共に、前記第２カードリーダから読み込まれた前記カードの前記識別番号が前記記憶手段に記憶された前記第２識別番号と一致すると、退室可能と判断する第２判断手段と、
該第１又は第２判断手段の入室・退室可能との判断に基づいて前記電気錠を解除する第１解除手段と、
を備えたことを特徴とする入退室管理装置。
【請求項２】
部屋の扉に設けられた電気錠と、
前記電気錠を解除指令信号によりロックが開放され、施錠指令信号によりロックされる連続解除手段と、
第３識別番号が記憶されると共に、前記第３識別番号に対応して前記入室又は退室の状態が記憶された記憶手段と、
部屋の入室側及び退室側にそれぞれ設けられ、カードに付された識別番号を読み取る第１、第２カードリーダと、
前記第１カードリーダから読み込まれた前記カードの前記識別番号が前記記憶手段に記憶された第３識別番号で、前記退室の状態が記憶されていると入室可能と判断すると共に、前記第２カードリーダから読み込まれた前記カードの前記識別番号が前記記憶手段に記憶された第３識別番号で、前記入室の状態が記憶されていると退室可能と判断する第３判断手段と、
前記第１カードリーダから読み込まれた前記カードの前記識別番号が前記記憶手段に記憶された前記第３識別番号で、前記連続解除手段が動作したことに基づいて入室・退室可能と判断する第４判断手段と、
該第４判断手段の入・退室可能との判断に基づいて前記電気錠を解除する第２解除手段と、
を備えたことを特徴とする入退室管理装置。
【請求項３】
前記第２判断手段の入室・退室可能との判断に基づいて前記第１解除手段を実行した後、前記電気錠を施錠する第１施錠手段と、
前記第１解除手段を実行させることになった前記第２識別番号を第１識別番号に変更する命令手段と、
を備えたことを特徴とする請求項１に記載の入退室管理装置。
【発明の詳細な説明】
【技術分野】
【０００１】
本発明は、入室及び退室を管理する入退室管理装置に関するものである。
【背景技術】
【０００２】
従来の入退室管理装置は、安全性を高めるためにアンチパスバックチェック機能を有しているものがある。アンチパスバックチェック機能とは、同じ人がその部屋に入室又は退室することを禁止する機能をいい、かかる機能を実現するには下記特許文献１に示すように、部屋の入口側と出口側に設けられたＩＤ判別装置としてのカードリーダで、ＩＤカードの照合結果がＯＫ時には、ドアの電気錠を解錠して入退室が可能になされている。
上記入退室管理装置によれば、アンチパスバックチェック機能も備え、ＩＤカードを所有していないと、入退室できないので、安全管理上好ましい。
【特許文献１】特公平８−３１１４５号公報
【発明の開示】
【発明が解決しようとする課題】
【０００３】
しかしながら、上記入退室管理装置は、新規に登録されたカードを有する者が該カードを用いて部屋へ始めて入室する場合には、実際の入退室状態を認識できないにもかかわらず、強制的に入室又は退室状態となる。このため、新規に登録されたカードを有する者が入退室できないという課題があった。
また、部屋の扉を連続解錠した場合、入退室管理装置は連続解錠中に誰が入室・退室したかを認識できないため、入退室状態の認識と、実際のカード所有者の入退室状態と不一致が発生する。これにより、上記連続解除状態から施錠にした後、カード所有者が入退室できないことが生じるという課題があった。
【０００４】
本発明は上記課題を解消するためになされたもので、第一の目的は新規に登録されたカードを有する者が入退室を円滑すると共に、アンチパスバックチェック機能を備えた入退室管理装置を提供することにある。
第二の目的は、連続解除状態から施錠した後、カード所有者の入退室を円滑にすると共に、アンチパスバックチェック機能を備えた入退室管理装置を提供することにある。
【課題を解決するための手段】
【０００５】
第１の発明に係る入退室管理装置は、部屋の扉に設けられた電気錠と、第１識別番号及び、前記部屋の退室の状態とは無関係に入室可能な第２識別番号とが記憶され、前記第１識別番号に対応して前記部屋の前記入室又は退室の状態が記憶される記憶手段と、部屋の入室側及び退室側にそれぞれ設けられ、カードに付された識別番号を読み取る第１、第２カードリーダと、前記第１カードリーダから読み込まれた前記カードの前記識別番号が前記記憶手段に記憶された第１識別番号で、前記退室の状態が記憶されていると入室可能と判断すると共に、前記第２カードリーダから読み込まれた前記カードの前記識別番号が前記記憶手段に記憶された第１識別番号で、前記入室の状態が記憶されていると退室可能と判断する第１判断手段と、前記第１カードリーダから読み込まれた前記カードの前記識別番号が前記記憶手段に記憶された前記第２識別番号と一致すると、入室可能と判断すると共に、前記第２カードリーダから読み込まれた前記カードの前記識別番号が前記記憶手段に記憶された前記第２識別番号と一致すると、退室可能と判断する第２判断手段と、該第１又は第２判断手段の入室・退室可能との判断に基づいて前記電気錠を解除する第１解除手段と、を備えたことを特徴とするものである。
【０００６】
第２の発明に係る入退室管理装置は、部屋の扉に設けられた電気錠と、前記電気錠を解除指令信号によりロックが開放され、施錠指令信号によりロックされる連続解除手段と、第３識別番号が記憶されると共に、前記第３識別番号に対応して前記入室又は退室の状態が記憶された記憶手段と、部屋の入室側及び退室側にそれぞれ設けられ、カードに付された識別番号を読み取る第１、第２カードリーダと、前記第１カードリーダから読み込まれた前記カードの前記識別番号が前記記憶手段に記憶された第３識別番号で、前記退室の状態が記憶されていると入室可能と判断すると共に、前記第２カードリーダから読み込まれた前記カードの前記識別番号が前記記憶手段に記憶された第３識別番号で、前記入室の状態が記憶されていると退室可能と判断する第３判断手段と、前記第１カードリーダから読み込まれた前記カードの前記識別番号が前記記憶手段に記憶された前記第３識別番号で、前記連続解除手段が動作したことに基づいて入室・退室可能と判断する第４判断手段と、該第４判断手段の入・退室可能との判断に基づいて前記電気錠を解除する第２解除手段と、を備えたことを特徴とするものである。
【０００７】
第３の発明に係る入退室管理装置は、第２判断手段の入室・退室可能との判断に基づいて第１解除手段を実行した後、電気錠を施錠する第１施錠手段と、前記第１解除手段を実行させることになった第２識別番号を第１識別番号に変更する命令手段と、を備えたことを特徴とするものである。
【発明の効果】
【０００８】
第１の発明によれば、第１判断手段は第１カードリーダから読み込まれたカードの識別番号が記憶手段に記憶された第１識別番号で、退室の状態が記憶されていると入室可能と判断すると共に、第２カードリーダから読み込まれたカードの識別番号が記憶手段に記憶された第１識別番号で、入室の状態が記憶されていると退室可能と判断する。さらに、第２判断手段は第１カードリーダから読み込まれたカードの前記識別番号が前記記憶手段に記憶された前記第２識別番号と一致すると、入室可能と判断すると共に、前記第２カードリーダから読み込まれた前記カードの前記識別番号が前記記憶手段に記憶された前記第２識別番号と一致すると、退室可能と判断する。第１解除手段は第１又は第２判断手段の入室・退室可能との判断に基づいて電気錠を解除する。これにより、新規に登録されたカードを所有者の入退室を円滑すると共に、アンチパスバックチェック機能を備えた入退室管理装置を簡易に構成できるという効果がある。
【０００９】
第２の発明によれば、第１判断手段は第１カードリーダから読み込まれたカードの識別番号が記憶手段に記憶された第１識別番号で、退室の状態が記憶されていると入室可能と判断すると共に、第２カードリーダから読み込まれたカードの識別番号が記憶手段に記憶された第１識別番号で、入室の状態が記憶されていると退室可能と判断する。第３判断手段は、第１カードリーダから読み込まれたカードの識別番号が記憶手段に記憶された第３識別番号で、連続解除手段が動作したことに基づいて入室・退室可能と判断する。第２解除手段は、第３判断手段の入・退室可能との判断に基づいて電気錠を解除する。これにより、連続解除状態から施錠した後、カード所有者の入退室を円滑にすると共に、アンチパスバックチェック機能を備えた入退室管理装置ができるという効果がある。
【００１０】
第３の発明によれば、第１施錠手段は第２判断手段の入室・退室可能との判断に基づいて第１解除手段を実行した後、電気錠を施錠する。命令手段は、第１解除手段を実行させることになった第２識別番号を第１識別番号に変更したので、新規なカードを一回でも使用することにより、通常のアンチパスバックチェック機能となるので、セキュリティが向上できるという効果がある。
【発明を実施するための最良の形態】
【００１１】
実施の形態１．
本発明の一実施の形態を図１及び図２によって説明する。図１は一実施の形態を示す入退室管理装置が設けられた部屋の断面平面図(a)、正面図(b)、図２は図１に示す入退室管理装置の全体ブロック図、図３は記憶部の入退室テーブル図である。
図１において、部屋２には、扉７が設けられており、該扉７の開閉により入退室できるように形成されている。
入退室管理装置は部屋２の入室側には、カード４に付された第１識別番号を読み取る第１カードリーダ３が設けられている。部屋２の退室側には、カード４に付された第１識別番号を読み取る第２カードリーダ６が設けられている。
扉７には、ノブ７aが設けられており、電気信号によりオートロックできる電気錠１１が取付けられている。第１，第２カードリーダ３,６には、カード４に付された識別番号を読み取る第１,第２リーダヘッド部３ａ,６ａが設けられている。
【００１２】
図２において、制御装置２０は、周知のＣＰＵ、ＲＡＭ、ＲＯＭ、インターフェイス等から構成されている。記憶部２２には図３に示すように入退室テーブル２２ａを有しており、カード４に付されたカード番号としての第１及び第２識別番号が記憶され、第１、第２識別番号に対応して部屋２の入室又は退室の状態と、アンチパスバックチェック機能の補正の要否が記憶される。ここで、第１識別番号は該補正が「否」とされているカード番号をいい、第２識別番号とは該補正が「要」とされているカード番号をいう。
【００１３】
制御装置２０は、第１カードリーダ３から読み込まれたカード４の識別番号が記憶部２２に記憶された第１識別番号で、記憶部２２に退室の状態が記憶されていると入室可能と判断すると共に、第２カードリーダ６から読み込まれたカード４の識別番号が記憶部２２に記憶された第１識別番号で、入室の状態が記憶されていると退室可能と判断する第１判断部２４と、第１カードリーダ３から読み込まれたカード４の識別番号が記憶部２２に記憶された第２識別番号と一致すると、入室可能と判断すると共に、第２カードリーダ６から読み込まれたカード４の識別番号が記憶部２２に記憶された第２識別番号と一致すると、退室可能と判断する第２判断部２４と、第１又は第２判断部２４手段の入室・退室可能との判断に基づいて電気錠１１を解除する第１解除部２８と、を備えている。
【００１４】
制御装置２０は、第２判断部２４の入室・退室可能との判断に基づいて第１解除部２８を実行した後、電気錠１１を施錠する第１施錠部２９と、第１解除部２８を実行させることになった入退室テーブル２２ａの第２識別番号を第１識別番号に変更する命令手段としての第１テーブル命令部２７とを備えている。ここで、第２識別番号を第１識別番号に変更するとは、入退室テーブル２２ａの補正欄を「否」から「要」に変更することをいう。
記憶部２２には、入退室テーブル２２ａのカード番号、補正の「要」、「否」などを入力するカード情報登録器４１を備えている。
【００１５】
上記のように構成された入退室管理装置の動作を図１から図４を参照して説明する。図４は図1による入退室管理装置の動作を示すフローチャートである。
いま、カード４を第1カードリーダ３のリーダヘッド部３ａでカード４に付された第１識別番号を読み取り(ステップＳ１０１)、第１判断部２４は、記憶部２２の入退室テーブル２２ａに記憶された多数の識別番号を読出し、第１又は第２識別番号と一致するか否かを判断し(ステップＳ１０３)、第２識別番号と一致するか否かを判断し(ステップＳ１０５)、一致しなければ、入退室テーブル２２ａに「退室」が記憶されているか否かを判断し(ステップＳ１０７)、退室が記憶されておれば、入室可能と判断して第１解除部２８は電気錠１１を解除する(ステップＳ１０９)。
一方、上記ステップＳ１０５において、一致すると、上記ステップＳ１０９を実行する。
【００１６】
扉７は電気錠１１が解除されているので、開閉可能となり、電気錠１１は扉７が閉成されたことを検知して、第１施錠部２９が電気錠１１を施錠する(ステップＳ１１１)。テーブル命令部２７は、入退室テーブル２２ａの入室した識別番号に対応欄に「入室」をセットし(ステップＳ１１３)、終了する。
【００１７】
上記入退室管理装置により入室する場合について説明したが、退室する場合は上記ステップＳ１０１は、カード４を第２カードリーダ６のリーダヘッド部６ａでカード４に付された第１識別番号を読み取り、上記ステップＳ１０３，Ｓ１０５を実行し、上記ステップＳ１０７は、一致しなければ、入退室テーブル２２ａに「入室」が記憶されているか否かを判断し、上記ステップＳ１０９，Ｓ１１１を実行し、上記ステップＳ１１３は、入退室テーブル２２ａの退室した識別番号に対応欄に「退室」をセットして終了する。
【００１８】
上記実施形態の入退室管理装置によれば、部屋２の扉７に設けられた電気錠１１と、第１識別番号及び、部屋２の退室の状態とは無関係に入室可能な第２識別番号とが記憶され、第１識別番号に対応して部屋２の入室又は退室の状態が記憶される入退室テーブル２２ａと、部屋２の入室側及び退室側にそれぞれ設けられ、カード４に付された識別番号を読み取る第１、第２カードリーダ３，６と、第１カードリーダ３から読み込まれたカード４の識別番号が入退室テーブル２２ａに記憶された第１識別番号で、退室の状態が記憶されていると入室可能と判断すると共に、第２カードリーダ６から読み込まれたカード４の識別番号が入退室テーブル２２ａに記憶された第１識別番号で、入室の状態が記憶されていると退室可能と判断する第１判断部２４と、第１カードリーダ６から読み込まれたカード４の識別番号が入退室テーブル２２ａに記憶された第２識別番号と一致すると、入室可能と判断すると共に、第２カードリーダ６から読み込まれたカード４の識別番号が入退室テーブル２２ａに記憶された第２識別番号と一致すると、退室可能と判断する第２判断部２４と、第１又は第２判断部２４の入室・退室可能との判断に基づいて電気錠１１を解除する第１解除部１１とを備えたので、新規に登録されたカードを所有者の入退室を円滑すると共に、アンチパスバックチェック機能を備えた入退室管理装置を簡易に構成できる。
【００１９】
実施の形態２．
本発明の他の実施の形態を図１，図５，図６によって説明する。図５は入退室管理装置の全体ブロック図、図６は図３は記憶部の入退室テーブル図である。図５，図６中、図２、図３と同一符号は同一又は相当部分を示し、説明を省略する。
【００２０】
図５において、制御装置１２０は、周知のＣＰＵ、ＲＡＭ、ＲＯＭ、インターフェイス等から構成されており、記憶部1２２には、入室が許可される複数の識別番号としての第２識別番号と、これまでに発行された第1パスワードが記憶されている。
制御装置1２０には、電気錠を解除指令信号によりロックが開放され、施錠指令信号によりロックする連続解除部１２９と、図６に示すように第３識別番号が記憶されると共に、第３識別番号に対応して部屋２の入室又は退室の状態が記憶された記憶部２２の入退室テーブル１２２ａとを有している。
【００２１】
制御装置1２０には、第１カードリーダ３から読み込まれたカード４の識別番号が入退室テーブル１２２ａに記憶された第３識別番号で、退室の状態が記憶されていると入室可能と判断すると共に、第２カードリーダ６から読み込まれたカード４の識別番号が入退室テーブル１２２ａに記憶された第３識別番号で、入室の状態が記憶されていると退室可能と判断する第３判断部１２４を備えている。
【００２２】
制御装置1２０には、第１カードリーダ３から読み込まれたカード４の識別番号が入退室テーブル１２２ａに記憶された第３識別番号で、連続解除部１２９が動作したことに基づいて入室・退室可能と判断する第４判断部１２４と、該第４判断手段の入・退室可能との判断に基づいて電気錠１１を解除する第２解除部１２８と、連続解除部１２９の動作により入退室テーブル１２２ａの第３識別番号に対応する補正欄を「要」にする命令手段としての第２テーブル命令部１２７とを備えている。
【００２３】
上記のように構成された入退室管理装置の動作を図１，図５〜図７を参照して説明する。図７は図５による入退室管理装置の動作を示すフローチャートである。図７中、図４と同一符号は、同一又は相当部分を示し、説明を適宜省略する
いま、カード４をカードリーダ３のリーダヘッド部３ａでカード４に付された第３識別番号を読み取り(ステップＳ１０１)、第３判断部１２４は、記憶部１２２に記憶された多数の第３識別番号を読出し、第３識別番号と一致するか否かを判断し(ステップＳ２０３)、第４判断部１２４は、連続解除部１２９が動作したか否かを判断し(ステップＳ２０５)、連続解除部１２９が動作しなければ、入退室テーブル２２ａに「退室」が記憶されているか否かを判断し(ステップＳ１０７)、退室が記憶されておれば、入室可能と判断して第２解除部１２８は電気錠１１を解除する(ステップＳ１０９)。
一方、上記ステップＳ２０５において、連続解除部１２９が動作とすると、第２命令テーブル部１２７は、入退室テーブル１２２ａの補正欄をすべて「要」にして上記ステップＳ１０９を実行する。
【００２４】
扉７は電気錠１１が解除されているので、開閉可能となり、電気錠１１は扉７が閉成されたことを検知して、第１施錠部２９が電気錠１１を施錠する(ステップＳ１１１)。テーブル命令部２７は、入退室テーブル２２ａの入室した識別番号に対応欄に「入室」をセットし(ステップＳ１１３)、終了する。
【００２５】
上記入退室管理装置により入室する場合について説明したが、退室する場合は上記ステップＳ１０１は、カード４を第２カードリーダ６のリーダヘッド部６ａでカード４に付された第３識別番号を読み取り、上記ステップＳ２０３，Ｓ２０５を実行し、上記ステップＳ１０７は、一致しなければ、入退室テーブル１２２ａに「入室」が記憶されているか否かを判断し、上記ステップＳ１０９，Ｓ１１１を実行し、上記ステップＳ１１３は、入退室テーブル２２ａの退室した識別番号に対応欄に「退室」をセットして終了する。
【００２６】
上記実施形態の入退室管理装置によれば、部屋２の扉７に設けられた電気錠１１と、電気錠１１を解除指令信号によりロックが開放され、施錠指令信号によりロックされる連続解除部１２９と、第３識別番号が記憶されると共に、第３識別番号に対応して入室又は退室の状態が記憶された入退室テーブル１２２ａと、部屋２の入室側及び退室側にそれぞれ設けられ、カード４に付された識別番号を読み取る第１、第２カードリーダ３，６と、第１カードリーダ３から読み込まれたカード４の識別番号が入退室テーブル１２２ａに記憶された第３識別番号で、前記退室の状態が記憶されていると入室可能と判断すると共に、第２カードリーダ６から読み込まれたカード４の識別番号が入退室テーブル１２２ａに記憶された第３識別番号で、入室の状態が記憶されていると退室可能と判断する第３判断２部１２４と、第１カードリーダ３から読み込まれたカード４の識別番号が入退室テーブル１２２ａに記憶された第３識別番号で、連続解除部が動作したことに基づいて入室・退室可能と判断する第４判断部１２４と、該第４判断部１２４の入・退室可能との判断に基づいて電気錠１１を解除する第２解除部１２８とを備えたものである。
これにより、連続解除状態から施錠した後、カード所有者の入退室を円滑にすると共に、アンチパスバックチェック機能を備えた入退室管理装置を得ることができる。
【産業上の利用可能性】
【００２７】
本発明は、入退室管理装置に適用できる。
【図面の簡単な説明】
【００２８】
【図１】本発明の一実施の形態を示す入退室管理装置が設けられた部屋の断面平面図(a)、正面図(b)である。
【図２】図１に示す入退室管理装置の全体ブロック図である。
【図３】図１に示す入退室管理装置の入退室テーブル図である。
【図４】図1による入退室管理装置の動作を示すフローチャートである。
【図５】本発明の他の実施形態を示す入退室管理装置の全体ブロック図である。
【図６】図５に示す入退室管理装置の入退室テーブル図である。
【図７】図５による入退室管理装置の動作を示すフローチャートである。
【符号の説明】
【００２９】
２  部屋、３  第１カードリーダ、４  カード、６  第２カードリーダ、７  扉、１１  電気錠、２２ａ，１２２ａ  入退室テーブル、２４  第１・第２判断部、２８  第１解除部、２９  第１施錠部、１２４  第３・第４判断部、１２８  第２解除部、１２９  連続解除部。
【図１】
2007132075.tif 000003
【図２】
2007132075.tif 000004
【図３】
2007132075.tif 000005
【図４】
2007132075.tif 000006
【図５】
2007132075.tif 000007
【図６】
2007132075.tif 000008
【図７】
2007132075.tif 000009